(57)【要約】  本発明は、データパケットの処理方法及び装置を提供し、ベアラ分割シナリオに基づく分割されたベアラのＰＤＣＰ ＳＤＵデータパケットが正常伝送及び前記分割されたベアラへサービスを提供するＳｅＮＢに変改が生じる場合、どのように前記分割されたベアラのＰＤＣＰ ＳＤＵデータパケットを処理するのかの問題点を解決し、アグリゲーションされた基地局の動作效率及びリソースの利用率を向上する。本発明方法は、現在伝送するベアラ分割シナリオ中のベアラの各々パケットデータ集中プロトコル（ＰＤＣＰ）サービスデータユニット（ＳＤＵ）データパケットの伝送情報を決定するステップと、前記各々データパケットの伝送情報により前記データパケットを処理するステップとを備える。
2017513371.tif 000002
【特許請求の範囲】
【請求項１】
現在伝送するベアラ分割シナリオ中のベアラの各々パケットデータ集中プロトコル（ＰＤＣＰ） サービスデータユニット（ＳＤＵ）データパケットの伝送情報を決定するステップと、
前記各々データパケットの伝送情報により前記データパケットを処理するステップとを備えることを特徴とするデータパケットの処理方法。
【請求項２】
現在伝送するベアラ分割シナリオ中のベアラの各々パケットデータ集中プロトコル（ＰＤＣＰ） サービスデータユニット（ＳＤＵ）データパケットの伝送情報を決定するステップは、
無線回線制御（ＲＬＣ）エンティティからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備えることを特徴とする請求項１に記載のデータパケットの処理方法。
【請求項３】
現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持することを特徴とする請求項１に記載のデータパケットの処理方法。
【請求項４】
ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオでの前記ベアラの各々パケットデータ集中プロトコル（ＰＤＣＰ） サービスデータユニット（ＳＤＵ）データパケットの伝送情報を決定する前、
前記分割されたベアラのＰＤＣＰ ＳＤＵデータパケットの伝送を停止し、
他のベアラのＰＤＣＰ ＳＤＵデータパケットの伝送を維持または停止することを特徴とする請求項２に記載のデータパケットの処理方法。
【請求項５】
ベアラ分割シナリオでのベアラへサービスを提供するＳｅＮＢ変更が生じる場合、ＵＥのＲＬＣエンティティからＰＤＣＰ ＰＤＵのデータパケット伝送状況示め情報を受信するステップは、
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信するステップを備えることを特徴とする請求項４に記載のデータパケットの処理方法。
【請求項６】
ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオ中のベアラの各々ＰＤＣＰ ＳＤＵデータパケットの伝送情報を決定するステップは、
前記ベアラへサービスを提供するＳｅＮＢからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備えることを特徴とする請求項１に記載のデータパケットの処理方法。
【請求項７】
前記ベアラへサービスを提供するＳｅＮＢからＰＤＣＰ ＰＤＵのデータパケット伝送状況示め情報を受信した後、前記方法は、
前記ベアラへサービスを提供するＳｅＮＢに、ＰＤＣＰ ＳＤＵデータパケット中の最後の１つのデータパケットを示す終了マーカー情報を送信するステップを備えることを特徴とする請求項６に記載のデータパケットの処理方法。
【請求項８】
現在伝送するベアラ分割シナリオ中のベアラの各々ＰＤＣＰ ＳＤＵデータパケットの伝送情報を決定するステップは、
データパケットｄｉｓｃａｒｄ  ｔｉｍｅｒｄｉｓｃａｒｄ  ｔｉｍｅｒ及び/または受信した前記データパケット伝送状況示め情報により、現在伝送するベアラ分割シナリオ中のベアラの各々ＰＤＣＰ ＳＤＵデータパケットの伝送情報を決定することを特徴とする請求項２または請求項６に記載のデータパケットの処理方法。
【請求項９】
前記データパケット伝送状況示め情報は、情報ストリームのフォームまたはデータ伝送確認状態パッケージのフォームを採用し、
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含み、 
データ伝送確認状態パッケージのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含み、
ここで、伝送状態が確認されたデータパケットパッケージは、未伝送のデータパケット、伝送失敗のデータパケット及び伝送成功のデータパケットのうちのいずれの１つまたはこれらの任意の１つを含むことを特徴とする請求項２に記載のデータパケットの処理方法。
【請求項１０】
データパケットの伝送情報は、データパケット伝送失敗、データパケット伝送成功及びデータパケット未伝送の情報のうちのいずれの１つまたはこれらの任意の組み合わせを含み、
前記各々データパケットの伝送情報により前記データパケットを処理するステップは、
現在伝送するＰＤＣＰ ＳＤＵデータパケットのうちの伝送成功のデータパケットを廃棄するステップと、
現在伝送するＰＤＣＰ ＳＤＵデータパケットのうちの伝送失敗のデータパケットを再伝送するステップと、
現在伝送するＰＤＣＰ ＳＤＵデータパケットのうちの未伝送のデータパケットを伝送するステップとを備えることを特徴とする請求項１に記載のデータパケットの処理方法。
【請求項１１】
ベアラ分割シナリオでのベアラへサービスを提供するＳｅＮＢの数減少及び/またはＳｅＮＢ再設定及び/またはＳｅＮＢに変更が生じる場合、
前記方法は、対端にＰＤＣＰ プロトコルデータユニットＰＤＵのデータパケット伝送状況示め情報を送信するステップをさらに備え、
前記データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１に記載のデータパケットの処理方法。
【請求項１２】
現在伝送するベアラ分割シナリオ中のベアラの各々パケットデータ集中プロトコル（ＰＤＣＰ） サービスデータユニット（ＳＤＵ）データパケットの伝送情報を決定する伝送情報決定ユニットと、
前記各々データパケットの伝送情報により前記データパケットを処理するデータパケット処理ユニットとを備えることを特徴とするデータパケットの処理装置。
【請求項１３】
前記伝送情報決定ユニットは、
無線回線制御（ＲＬＣ）エンティティからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１２に記載のデータパケットの処理装置。
【請求項１４】
現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持することを特徴とする請求項１２に記載のデータパケットの処理装置。
【請求項１５】
ベアラ分割シナリオでのベアラへサービスを提供するＳｅＮＢの数減少及び/またはＳｅＮＢ再設定及び/またはＳｅＮＢに変更が生じる場合、前記伝送情報決定ユニットは、
前記分割されたベアラのＰＤＣＰ ＳＤＵデータパケットの伝送を停止し、
他のベアラのＰＤＣＰ ＳＤＵデータパケットの伝送を維持または停止することを特徴とする請求項１３に記載のデータパケットの処理装置。
【請求項１６】
ベアラ分割シナリオでのベアラへサービスを提供するＳｅＮＢ変更が生じる場合、前記伝送情報決定ユニットは、
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信することを特徴とする請求項１５に記載のデータパケットの処理装置。
【請求項１７】
ベアラ分割シナリオでのベアラへサービスを提供するＳｅＮＢの数減少及び/またはＳｅＮＢ再設定及び/またはＳｅＮＢに変更が生じる場合、前記伝送情報決定ユニットは、
前記ベアラへサービスを提供するＳｅＮＢからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１２に記載のデータパケットの処理装置。
【請求項１８】
前記伝送情報決定ユニットは、前記ベアラへサービスを提供するＳｅＮＢからＰＤＣＰ ＰＤＵのデータパケット伝送状況示め情報を受信した後、
前記ベアラへサービスを提供するＳｅＮＢに、ＰＤＣＰ ＳＤＵデータパケット中の最後の１つのデータパケットを示す終了マーカー情報を送信することを特徴とする請求項１７に記載のデータパケットの処理装置。
【請求項１９】
前記伝送情報決定ユニットは、
データパケットｄｉｓｃａｒｄ  ｔｉｍｅｒｄｉｓｃａｒｄ  ｔｉｍｅｒ及び/または受信した前記データパケット伝送状況示め情報により、現在伝送するベアラ分割シナリオ中のベアラの各々ＰＤＣＰ ＳＤＵデータパケットの伝送情報を決定することを特徴とする請求項１３または請求項１７に記載のデータパケットの処理装置。
【請求項２０】
前記データパケット伝送状況示め情報は、情報ストリームのフォームまたはデータ伝送確認状態パッケージのフォームを採用し、
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含み、 
データ伝送確認状態パッケージのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含み、
前記伝送状態が確認されたデータパケットパッケージは、未伝送のデータパケット、伝送失敗のデータパケット及び伝送成功のデータパケットのうちのいずれの１つまたはこれらの任意の１つを含むことを特徴とする請求項１９に記載のデータパケットの処理装置。
【請求項２１】
データパケットの伝送情報は、データパケット伝送失敗、データパケット伝送成功及びデータパケット未伝送の情報のうちのいずれの１つまたはこれらの任意の組み合わせを含み、
前記データパケット処理ユニットは、
現在伝送するＰＤＣＰ ＳＤＵデータパケットのうちの伝送成功のデータパケットを廃棄し、
現在伝送するＰＤＣＰ ＳＤＵデータパケットのうちの伝送失敗のデータパケットを再伝送し、
現在伝送するＰＤＣＰ ＳＤＵデータパケットのうちの未伝送のデータパケットを伝送することを特徴とする請求項１２に記載のデータパケットの処理装置。
【請求項２２】
ベアラ分割シナリオでのベアラへサービスを提供するＳｅＮＢの数減少及び/またはＳｅＮＢ再設定及び/またはＳｅＮＢに変更が生じる場合、
前記装置は、
対端にＰＤＣＰ プロトコルデータユニットＰＤＵのデータパケット伝送状況示め情報を送信する伝送情報送信ユニットをさらに備え、
前記データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１２に記載のデータパケットの処理装置。
【発明の詳細な説明】
【技術分野】
【０００１】
本発明は通信分野に関し、特に、データパケットの処理方法及び装置に関する。
【背景技術】
【０００２】
スマートターミナルの快速発展及びユーザーからデータサービス伝送速度及び容量に対する要求の日々増加のため、伝統なマクロ基地局の単一層カバリッジネットワークはユーザーからのデータサービスに対する要求を満足できなくなった。現在、３ＧＰＰ（３rd Ｇｅｎｅｒａｔｉｏｎ Ｐａｒｔｎｅｒｓｈｉｐ Ｐｒｏｊｅｃｔ）において、層状ネットワークの導入によりこの問題を解決しようとするともに、ベアラ分割（ｂｅａｒｅｒ ｓｐｌｉｔ）技術及びアーキテクチャも導入されるため、ターミナルが複数の基地局のセルリソースを使用できるようにし、これにより、ターミナルの移動性管理を強化して、ターミナルのデータサービス伝送速度のピーク値を向上する。
【０００３】
現在、分割されたベアラのデータパケットへの処理は、一般的にＰＤＣＰ（Ｐａｃｋｅｔ Ｄａｔａ Ｃｏｎｖｅｒｇｅｎｃｅ Ｐｒｏｔｏｃｏｌ，パケットデータ集中プロトコル）ＳＤＵ（Ｓｅｒｖｉｃｅ Ｄａｔａ Ｕｎｉｔ，サービスデータユニット）によりデータパケットｄｉｓｃａｒｄ  ｔｉｍｅｒを起動し、ｄｉｓｃａｒｄ  ｔｉｍｅｒにより分割されたベアラのＰＤＣＰ ＳＤＵ データパケットを廃棄する。即ち、ＰＤＣＰエンティティは分割されたベアラのＰＤＣＰ ＳＤＵを受信したたびに、当該ＰＤＣＰ ＳＤＵのためにｄｉｓｃａｒｄ  ｔｉｍｅｒを起動する。当該ｄｉｓｃａｒｄ  ｔｉｍｅｒがプリセットした時間の長さを超える場合、当該ｄｉｓｃａｒｄ  ｔｉｍｅｒに対応する分割されたベアラのＰＤＣＰ ＳＤＵデータパケットを廃棄する。アグリゲーションされた基地局間のX２インタフェースの遅延のため、異なる分割されたベアラのＰＤＣＰ ＳＤＵ（ＰＤＣＰ ＳＤＵがＭｅＮＢ（Ｍａｓｔｅｒ ｂａｓｅ ｓｔａｔｉｏｎ）により伝送されるように割り当てるか、または、ＳｅＮＢ（Ｓｅｃｏｎｄａｒｙ ｂａｓｅ ｓｔａｔｉｏｎ）により伝送されるように割り当てる）について、ＰＤＣＰ ＳＤＵのためにプリセットしたｄｉｓｃａｒｄ  ｔｉｍｅｒのプリセットした時間の長さが相違する。
【０００４】
層状ネットワークをもととするネットワークシナリオ、ベアラ分割技術及びアーキテクチャ、ＵＥ（Ｕｓｅｒ  Ｅｑｕｉｐｍｅｎｔ）の同一の分割されたベアラは、複数のアグリゲーションされた基地局のロジックチャネルにマッピングされて伝送される。アグリゲーションされた基地局はＭｅＮＢ及びＳｅＮＢを備える。前記分割されたベアラの複数のアグリゲーションされた基地局による伝送には、ＭｅＮＢに位置する１つのＰＤＣＰエンティティが共有される。一方、異なるアグリゲーションされた基地局に対するＵＥ ＲＬＣエンティティの設定（ｃｏｎｆｉｇｕｒｅ）は別途に行う必要があり、分割されたベアラの伝送において、アグリゲーションされた基地局は、前記分割されたベアラのＰＤＣＰ ＰＤＵ（Ｐｒｏｔｏｃｏｌ Ｄａｔａ Ｕｎｉｔ，プロトコルデータユニット）をＵＥに通知する。また、ＭｅＮＢに位置するＰＤＣＰエンティティは、ＳｅＮＢに通知されたＰＤＣＰ ＰＤＵまたはＰＤＣＰ ＳＤＵを内蔵する。同一の分割されたベアラへサービスを提供するＳｅＮＢが変化され、即ち、ＳｅＮＢの数が増加または減少される場合、ＳｅＮＢ変更及びＳｅＮＢの再設定が行われる。一方、前記分割されたベアラのＭｅＮＢに変化がない場合、ＵＥ及びネットワーク側のベアラの伝送アーキテクチャは変化され、この際、従来のキャリアアグリゲーションセルの変更について、ＵＥ及びネットワーク側の動作は、ベアラ分割シナリオ中の分割されたベアラのＰＤＣＰ ＳＤＵデータパケットの処理問題をもう解決できなくなってしまう。具体的に、分割されたベアラのＰＤＣＰ ＳＤＵデータパケットの伝送状態報告問題、ＰＤＣＰ ＳＤＵデータパケットの処理問題及び終了マーカー（ｅｎｄｅｄ ｍａｒｋｅｒ）情報の送信問題等が含まれる。
【０００５】
要するに、従来技術において、層状ネットワークをもととするネットワークシナリオ、ベアラ分割技術及びアーキテクチャは、同一の分割されたベアラへサービスを提供するＳｅＮＢに変化が起こる場合、どのように分割されたベアラのＰＤＣＰ ＳＤＵデータパケットを処理するのかについて、いまだに対応の解決案は案出されていない。
【発明の概要】
【発明が解決しようとする課題】
【０００６】
本発明はデータパケットの処理方法及び装置を提供し、ベアラ分割シナリオに基づく分割されたベアラの正常伝送及び前記分割されたベアラへサービスを提供するＳｅＮＢに変化が生じる場合、どのように前記分割されたベアラのＰＤＣＰ ＳＤＵデータパケットを処理するのかの問題点を解決し、アグリゲーションされた基地局の動作效率及びリソースの利用率を向上する。
【課題を解決するための手段】
【０００７】
本発明に係る実施例により提供されるデータパケットの処理方法は、
現在伝送するベアラ分割シナリオ中のベアラの各々パケットデータ集中プロトコル（ＰＤＣＰ）サービスデータユニット（ＳＤＵ）データパケットの伝送情報を決定するステップと、
各々データパケットの伝送情報により、前記データパケットを処理するステップとを備える。
【０００８】
上述の方法によれば、本発明は、現在伝送するベアラ分割シナリオ中のベアラの各々ＰＤＣＰ ＳＤＵデータパケットの伝送情報を決定し、データパケットの伝送情報により前記データパケットの伝送情報に対応するデータパケットを処理することにより、ベアラ分割シナリオに基づく分割されたベアラのＰＤＣＰ ＳＤＵデータパケットの正常伝送及び前記分割されたベアラへサービスを提供するＳｅＮＢに変改が生じる場合、どのように前記分割されたベアラのＰＤＣＰ ＳＤＵデータパケットを処理するのかの問題点を解決し、アグリゲーションされた基地局の動作效率及びリソースの利用率を向上する。
【０００９】
好ましくは、現在伝送するベアラ分割シナリオ中のベアラの各々パケットデータ集中プロトコル（ＰＤＣＰ）サービスデータユニット（ＳＤＵ）データパケットの伝送情報を決定するステップは、
無線回線制御（ＲＬＣ）エンティティからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備える。
【００１０】
これにより、ＲＬＣエンティティからのＰＤＣＰ ＰＤＵのデータパケット伝送状況示め情報により、現在伝送する前記ベアラの各々ＰＤＣＰ ＳＤＵデータパケットの伝送情報を決定することができ、さらに、データパケットの伝送情報により前記データパケットの伝送情報に対応するデータパケットを処理する。
【００１１】
好ましくは、現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持する。
【００１２】
これにより、現在、ＭｅＮＢにおいて伝送される、ベアラへサービスを提供するＳｅＮＢの数が増加する場合、本発明は前記分割されたベアラのＰＤＣＰ ＳＤＵデータパケットへの処理に対する解決案を提供する。
【００１３】
好ましくは、ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオでの前記ベアラの各々パケットデータ集中プロトコル（ＰＤＣＰ）サービスデータユニット（ＳＤＵ）データパケットの伝送情報を決定する前に、前記方法は、
前記分割されたベアラのＰＤＣＰ ＳＤＵデータパケットの伝送を停止するステップと、
他のベアラのＰＤＣＰ ＳＤＵデータパケットの伝送を維持または停止するステップとを備える。
【００１４】
これにより、分割されたベアラへサービスを提供するＳｅＮＢの数減少及び/またはＳｅＮＢ再設定及び/またはＳｅＮＢに変更が生じる場合、本発明は前記分割されたベアラのＰＤＣＰ ＳＤＵデータパケットへの処理に対する解決案を提供する。
【００１５】
好ましくは、ベアラ分割シナリオでのベアラへサービスを提供するＳｅＮＢ変更が生じる場合、ＵＥのＲＬＣエンティティからＰＤＣＰ ＰＤＵのデータパケット伝送状況示め情報を受信するステップは、
【００１６】
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信するステップを備える。
【００１７】
これにより、分割されたベアラへサービスを提供するＳｅＮＢに変更が生じる場合、前記ベアラへサービスを提供する変更後のターゲットＳｅＮＢにより転送されたＵＥのＰＤＣＰエンティティからのＰＤＣＰ ＰＤＵデータパケットの伝送状況示め情報を受信することにより、各々ＰＤＣＰ ＳＤＵデータパケットの伝送情報を決定する。
【００１８】
好ましくは、ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオ中のベアラの各々ＰＤＣＰ ＳＤＵデータパケットの伝送情報を決定するステップは、
前記ベアラへサービスを提供するＳｅＮＢからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備える。
【００１９】
これにより、分割されたベアラへサービスを提供するＳｅＮＢの数減少及び/またはＳｅＮＢ再設定及び/またはＳｅＮＢに変更が生じる場合、前記ベアラへサービスを提供するＳｅＮＢからＰＤＣＰ ＰＤＵデータパケット伝送状況示め情報を受信し、各々ＰＤＣＰ ＳＤＵデータパケットの伝送情報を決定することにより、データパケットの伝送情報により前記データパケットの伝送情報に対応するデータパケットを処理する。
【００２０】
好ましくは、前記ベアラへサービスを提供するＳｅＮＢからＰＤＣＰ ＰＤＵのデータパケット伝送状況示め情報を受信した後、当該方法は、
前記ベアラへサービスを提供するＳｅＮＢに、ＰＤＣＰ ＳＤＵデータパケット中の最後の１つのデータパケットを示す終了マーカー情報を送信するステップを備える。
これにより、分割されたベアラへサービスを提供するＳｅＮＢにＰＤＣＰ ＳＤＵデータパケット中の最後の１つのデータパケットを通知する。
【００２１】
好ましくは、現在伝送するベアラ分割シナリオ中のベアラの各々ＰＤＣＰ ＳＤＵデータパケットの伝送情報を決定するステップは、
データパケットｄｉｓｃａｒｄ  ｔｉｍｅｒｄｉｓｃａｒｄ  ｔｉｍｅｒ及び/または受信したデータパケット伝送状況示め情報により、現在伝送するベアラ分割シナリオ中のベアラの各々ＰＤＣＰ ＳＤＵデータパケットの伝送情報を決定するステップを備える。
【００２２】
これにより、データパケットｄｉｓｃａｒｄ  ｔｉｍｅｒｄｉｓｃａｒｄ  ｔｉｍｅｒ及び/または受信したデータパケット伝送状況示め情報により、各々ＰＤＣＰ ＳＤＵデータパケットの伝送情報を決定することにより、データパケットの伝送情報により前記データパケットの伝送情報に対応するデータパケットを処理するとともに、アグリゲーションされた基地局的動作效率及びリソースの利用率を向上する。
【００２３】
好ましくは、データパケット伝送状況示め情報は、情報ストリームのフォームまたはデータ伝送確認状態パッケージのフォームを採用し、
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含み、
データ伝送確認状態パッケージのフォームを採用するデータパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含み、
伝送状態が確認されたデータパケットパッケージは、未伝送のデータパケット、伝送失敗のデータパケット及び伝送成功のデータパケットのうちのいずれの１つまたはこれらの任意の１つを含む。
【００２４】
これにより、受信したデータパケット伝送状況示め情報により、各々ＰＤＣＰ ＳＤＵデータパケットの伝送情報を決定する。
【００２５】
好ましくは、データパケットの伝送情報は、データパケット伝送失敗、データパケット伝送成功及びデータパケット未伝送の情報のうちのいずれの１つまたはこれらの任意の組み合わせを含む。
【００２６】
各々データパケットの伝送情報により、前記データパケットを処理するステップは、
現在伝送するＰＤＣＰ ＳＤＵデータパケットのうちの伝送成功のデータパケットを廃棄するステップと、
現在伝送するＰＤＣＰ ＳＤＵデータパケットのうちの伝送失敗のデータパケットを再伝送するステップと、
現在伝送するＰＤＣＰ ＳＤＵデータパケットのうちの未伝送のデータパケットを伝送するステップとを備える。
【００２７】
これにより、各々データパケットの伝送情報により、データパケットを処理することを実現できる。
【００２８】
好ましくは、ベアラ分割シナリオでのベアラへサービスを提供するＳｅＮＢの数減少及び/またはＳｅＮＢ再設定及び/またはＳｅＮＢに変更が生じる場合、当該方法は、
対端にＰＤＣＰ プロトコルデータユニットＰＤＵのデータパケット伝送状況示め情報を送信するステップであって、データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記送信ステップを備える。
【００２９】
これにより、対端は、データパケット伝送状況示め情報によりデータパケットを処理することができる。
【００３０】
本発明に係る実施例により提供されるデータパケットの処理装置は、
現在伝送するベアラ分割シナリオ中のベアラの各々パケットデータ集中プロトコル（ＰＤＣＰ）サービスデータユニット（ＳＤＵ）データパケットの伝送情報を決定する情報決定ユニットと、
各々データパケットの伝送情報により、前記データパケットを処理するデータパケット処理ユニットとを備える。
【００３１】
好ましくは、伝送情報決定ユニットは、
無線回線制御（ＲＬＣ）エンティティからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む。
【００３２】
これにより、ＲＬＣエンティティからのＰＤＣＰ ＰＤＵのデータパケット伝送状況示め情報により、現在伝送する前記ベアラの各々ＰＤＣＰ ＳＤＵデータパケットの伝送情報を決定し、さらに、データパケットの伝送情報により前記データパケットの伝送情報に対応するデータパケットを処理する。
【００３３】
好ましくは、現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持する。
【００３４】
これにより、現在、ＭｅＮＢにおいて伝送される、ベアラへサービスを提供するＳｅＮＢの数が増加する場合、本発明は前記分割されたベアラのＰＤＣＰ ＳＤＵデータパケットへの処理に対する解決案を提供する。
【００３５】
好ましくは、ベアラ分割シナリオでのベアラへサービスを提供するＳｅＮＢの数減少及び/またはＳｅＮＢ再設定及び/またはＳｅＮＢに変更が生じる場合、伝送情報決定ユニットは、
前記分割されたベアラのＰＤＣＰ ＳＤＵデータパケットの伝送を停止し、
他のベアラのＰＤＣＰ ＳＤＵデータパケットの伝送を維持または停止する。
【００３６】
これにより、分割されたベアラへサービスを提供するＳｅＮＢの数減少及び/またはＳｅＮＢ再設定及び/またはＳｅＮＢに変更が生じる場合、本発明は前記分割されたベアラのＰＤＣＰ ＳＤＵデータパケットへの処理に対する解決案を提供する。
【００３７】
好ましくは、ベアラ分割シナリオでのベアラへサービスを提供するＳｅＮＢ変更が生じる場合、伝送情報決定ユニットは、
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信する。
【００３８】
これにより、分割されたベアラへサービスを提供するＳｅＮＢに変更が生じる場合、前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信することにより、各々ＰＤＣＰ ＳＤＵデータパケットの伝送情報を決定する。
【００３９】
好ましくは、ベアラ分割シナリオでのベアラへサービスを提供するＳｅＮＢの数減少及び/またはＳｅＮＢ再設定及び/またはＳｅＮＢに変更が生じる場合、伝送情報決定ユニットは、
前記ベアラへサービスを提供するＳｅＮＢからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む。
【００４０】
これにより、分割されたベアラへサービスを提供するＳｅＮＢの数減少及び/またはＳｅＮＢ再設定及び/またはＳｅＮＢに変更が生じる場合、前記ベアラへサービスを提供するＳｅＮＢからＰＤＣＰ ＰＤＵデータパケット伝送状況示め情報を受信し、各々ＰＤＣＰ ＳＤＵデータパケットの伝送情報を決定することにより、データパケットの伝送情報により前記データパケットの伝送情報に対応するデータパケットを処理する。
【００４１】
好ましくは、伝送情報決定ユニットは、前記ベアラへサービスを提供するＳｅＮＢからＰＤＣＰ ＰＤＵのデータパケット伝送状況示め情報を受信した後、
前記ベアラへサービスを提供するＳｅＮＢに、ＰＤＣＰ ＳＤＵデータパケット中の最後の１つのデータパケットを示す終了マーカー情報を送信する。
【００４２】
これにより、分割されたベアラへサービスを提供するＳｅＮＢにＰＤＣＰ ＳＤＵデータパケット中の最後の１つのデータパケットを通知する。
【００４３】
好ましくは、伝送情報決定ユニットは、
データパケットｄｉｓｃａｒｄ  ｔｉｍｅｒｄｉｓｃａｒｄ  ｔｉｍｅｒ及び/または受信したデータパケット伝送状況示め情報により、現在伝送するベアラ分割シナリオ中のベアラの各々ＰＤＣＰ ＳＤＵデータパケットの伝送情報を決定する。
【００４４】
これにより、データパケットｄｉｓｃａｒｄ  ｔｉｍｅｒｄｉｓｃａｒｄ  ｔｉｍｅｒ及び/または受信したデータパケット伝送状況示め情報により、各々ＰＤＣＰ ＳＤＵデータパケットの伝送情報を決定することにより、データパケットの伝送情報により前記データパケットの伝送情報に対応するデータパケットを処理するとともに、アグリゲーションされた基地局的動作效率及びリソースの利用率を向上する。
【００４５】
好ましくは、データパケット伝送状況示め情報は、情報ストリームのフォームまたはデータ伝送確認状態パッケージのフォームを採用し、
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含み、 
データ伝送確認状態パッケージのフォームを採用するデータパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含み、
伝送状態が確認されたデータパケットパッケージは、未伝送のデータパケット、伝送失敗のデータパケット及び伝送成功のデータパケットのうちのいずれの１つまたはこれらの任意の１つを含む。
【００４６】
これにより、受信したデータパケット伝送状況示め情報により、各々ＰＤＣＰ ＳＤＵデータパケットの伝送情報を決定する。
【００４７】
好ましくは、データパケットの伝送情報は、データパケット伝送失敗、データパケット伝送成功及びデータパケット未伝送の情報のうちのいずれの１つまたはこれらの任意の組み合わせを含み、
データパケット処理ユニットは、
現在伝送するＰＤＣＰ ＳＤＵデータパケットのうちの伝送成功のデータパケットを廃棄し、
現在伝送するＰＤＣＰ ＳＤＵデータパケットのうちの伝送失敗のデータパケットを再伝送し、
現在伝送するＰＤＣＰ ＳＤＵデータパケットのうちの未伝送のデータパケットを伝送する。
これにより、各々データパケットの伝送情報により、データパケットを処理することを実現できる。
【００４８】
好ましくは、ベアラ分割シナリオでのベアラへサービスを提供するＳｅＮＢの数減少及び/またはＳｅＮＢ再設定及び/またはＳｅＮＢに変更が生じる場合、該装置は、
対端にＰＤＣＰ プロトコルデータユニットＰＤＵのデータパケット伝送状況示め情報を送信する伝送情報送信ユニットをさらに備え、
データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む。
【００４９】
これにより、対端は、データパケット伝送状況示め情報によりデータパケットを処理することができる。
【図面の簡単な説明】
【００５０】
【図１】層状ネットワークのネットワークシナリオを示す図である。
【図２】ベアラ分割アーキテクチャ中のアーキテクチャ１を示す図である。
【図３】ベアラ分割アーキテクチャ中のアーキテクチャ３を示す図である。
【図４】本発明に係る実施例により提供されるデータパケットの処理方法のフローチャートである。
【図５】本発明に係る実施例により提供されるデータ伝送確認状態パッケージの構造図である。
【図６】本発明に係る実施例により提供されるデータパケットの処理装置の構造図である。
【図７】本発明に係る実施例により提供される他のデータパケットの処理装置の構造図である。
【発明を実施するための形態】
【００５１】
本発明はデータパケットの処理方法及び装置を提供し、ベアラ分割シナリオに基づく分割されたベアラが正常動作の場合及び前記分割されたベアラへサービスを提供するＳｅＮＢに変改が生じる場合、どのように前記分割されたベアラのＰＤＣＰ ＳＤＵデータパケットを処理するのかの問題点を解決し、アグリゲーションされた基地局の動作效率及びリソースの利用率を向上する。
【００５２】
本発明は、データパケットの処理方法及び装置、層状ネットワークをもととするネットワークシナリオ及びベアラ分割技術及びアーキテクチャを提供する。本発明に係る方法及び装置は、Ｕｐｌｉｎｋ−Ｄｏｗｎｌｉｎｋ  ベアラ分割をサポートするアーキテクチャに適用できるとともに、ダウンリンクベアラ分割のみをサポートするアーキテクチャにも適用できる。
【００５３】
図１に示すような層状ネットワークのネットワークシナリオにおいて、Ｍａｃｒｏ ｅＮＢ（マクロ基地局、以下MｅＮＢと記する）は基本のネットワークカバリッジを提供する。ホットスポット、住宅室内環境、オフィスルーム環境等小面積のカバリッジ領域に低電力のロカールノード（Ｓｍａｌｌ ｃｅｌｌ／Ｓｅｃｏｎｄａｒｙ ｅＮＢ、ＳｅＮＢと記する）が設定され、ネットワークの小範囲ホットスポットへのカバリッジを提供する。ＭｅＮＢとＳｅＮＢの間にデータインタフェースまたはシグナリングインタフェースがあるため、ＵＥは、ＭｅＮＢカバリッジのネットワークで動作できるし、ＳｅＮＢカバリッジのネットワークにおいても動作できる。ＳｅＮＢにより制御されるセルカバリッジ範囲が小さく、サービングするＵＥ数が少ないため、ＳｅＮＢに接続されたＵＥは、たとえば、よい速いサービスデータ伝送速度、高品質の回線等のより良いサービス品質をもらえることができ、。よって、ＭｅＮＢに接続されたＵＥがＳｅＮＢに対応するセルカバリッジ範囲に入る場合、ＵＥはＳｅＮＢに転移してＳｅＮＢからのネットワークサービスを受け、ＵＥがＳｅＮＢに対応するセルカバリッジ範囲から離れる場合、無線接続のために、ＭｅＮＢにより制御されるセルへ転移する必要がある。
【００５４】
図１に示すような層状ネットワークのネットワークシナリオは、ベアラ分割アーキテクチャをサポートすることができる。ベアラ分割アーキテクチャにおいて、ＵＥの一部のデータベアラはＭｅＮＢにより維持・管理され、他の一部のデータベアラはＳｅＮＢにより維持・管理される。ここで、ＵＥの制御パネルにおけるベアラは、ＭｅＮＢセルにより維護・管理される。図２及び図３それぞれは、ベアラ分割アーキテクチャ１及びベアラ分割アーキテクチャ３を示す図である。ベアラ分割のアーキテクチャ３について、当該アーキテクチャにおいて、ネットワーク側で、ＵＥに対応するＰＤＣＰ（Ｐａｃｋｅｔ Ｄａｔａ Ｃｏｎｖｅｒｇｅｎｃｅ Ｐｒｏｔｏｃｏｌ，パケットデータ集中プロトコル）エンティティは、ＭｅＮＢ及びＳｅＮＢにおいて、同一のベアラに対応するＲＬＣ (Ｒａｄｉｏ Ｌｉｎｋ Ｃｏｎｔｒｏｌ，無線回線制御)、ＭＡＣ等のエンティティを有する。ＭｅＮＢはストリム制御等の技術によりＰＤＣＰのデータをＭｅＮＢのＲＬＣ及びＳｅＮＢのＲＬＣに送信する。ＵＥ側アーキテクチャはネットワーク側と対等である。このようなベアラ分割アーキテクチャをサポートするＵＥに対し、Ｕｐｌｉｎｋ−Ｄｏｗｎｌｉｎｋ  ベアラ分割が全部サポートされれば、ＵＥの同一のベアラのＵｐｌｉｎｋ−Ｄｏｗｎｌｉｎｋ  データすべては同時にＭｅＮＢ及びＳｅＮＢにおいて伝送されることができる。ダウンリンクベアラ分割のみがサポートされれば、ＵＥの同一のベアラのダウンリンクデータは、ＭｅＮＢ及びＳｅＮＢにおいて同時に伝送されることができる。ベアラ分割アーキテクチャの場合、ＭｅＮＢ及びＳｅＮＢのオーバー・ラップカバリッジ領域において、ベアラ分割をサポートするＵＥは、ＭｅＮＢ及びＳｅＮＢで動作でき、複数のアグリゲーションされた基地局のリソースが利用され、ＵＥのためにより速いデータ伝送速度及びより低いコストのデータサービスを提供することができる。
【００５５】
図１ないし図３に示される層状ネットワークのネットワークシナリオ及びベアラ分割アーキテクチャを前提として、分割されたベアラの正常動作及び前記分割されたベアラへサービスを提供するＳｅＮＢに変改が生じる場合の、ＰＤＣＰ対ＰＤＣＰ ＳＤＵデータパケットの処理について、図４に示すように、本発明に係る実施例は、データパケットの処理方法を提供し、当該方法は以下のステップを備える。
【００５６】
Ｓ４１、現在伝送するベアラ分割シナリオ中のベアラの各々パケットデータ集中プロトコル（ＰＤＣＰ）サービスデータユニット（ＳＤＵ）データパケットの伝送情報を決定する。
【００５７】
Ｓ４２、前記各々データパケットの伝送情報により前記データパケットを処理する。
【００５８】
好ましくは、ステップＳ４１において、現在伝送するベアラ分割シナリオ中のベアラの各々パケットデータ集中プロトコル（ＰＤＣＰ）サービスデータユニット（ＳＤＵ）データパケットの伝送情報を決定する方法は、
無線回線制御（ＲＬＣ）エンティティからＰＤＣＰ プロトコルデータユニットＰＤＵのデータパケット伝送状況示め情報を受信するステップと、
データパケット伝送状況示め情報により、現在伝送する前記ベアラの各々ＰＤＣＰ ＳＤＵデータパケットの伝送情報を決定するステップとを備える。
【００５９】
ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【００６０】
好ましくは、現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持する。
【００６１】
好ましくは、ステップＳ４１において、ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオでの前記ベアラの各々パケットデータ集中プロトコル（ＰＤＣＰ）サービスデータユニット（ＳＤＵ）データパケットの伝送情報を決定する前に、当該方法は、
前記分割されたベアラのＰＤＣＰ ＳＤＵデータパケットの伝送を停止するステップと、
他のベアラのＰＤＣＰ ＳＤＵデータパケットの伝送を維持または停止するステップとをさらに備える。
【００６２】
好ましくは、ステップＳ４１において、ベアラ分割シナリオでのベアラへサービスを提供するＳｅＮＢに変更が生じる場合、ＵＥのＲＬＣエンティティからＰＤＣＰ ＰＤＵのデータパケット伝送状況示め情報を受信するステップは、
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信するステップを備える。
【００６３】
好ましくは、ステップＳ４１において、ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオ中のベアラの各々ＰＤＣＰ ＳＤＵデータパケットの伝送情報を決定するステップは、
前記ベアラへサービスを提供するＳｅＮＢからＰＤＣＰ プロトコルデータユニットＰＤＵのデータパケット伝送状況示め情報を受信するステップと、
データパケット伝送状況示め情報により、現在伝送する前記ベアラの各々ＰＤＣＰ ＳＤＵデータパケットの伝送情報を決定するステップとを備える。
【００６４】
ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【００６５】
好ましくは、前記ベアラへサービスを提供するＳｅＮＢからＰＤＣＰ ＰＤＵのデータパケット伝送状況示め情報を受信した後、当該方法は、
前記ベアラへサービスを提供するＳｅＮＢに、ＰＤＣＰ ＳＤＵデータパケット中の最後の１つのデータパケットを示す終了マーカー情報を送信するステップを備える。
【００６６】
好ましくは、ステップＳ４１において、現在伝送するベアラ分割シナリオ中のベアラの各々ＰＤＣＰ ＳＤＵデータパケットの伝送情報を決定するステップは、
データパケットｄｉｓｃａｒｄ  ｔｉｍｅｒｄｉｓｃａｒｄ  ｔｉｍｅｒ及び/または受信したデータパケット伝送状況示め情報により、現在伝送するベアラ分割シナリオ中のベアラの各々ＰＤＣＰ ＳＤＵデータパケットの伝送情報を決定するステップを備える。
【００６７】
好ましくは、データパケット伝送状況示め情報は、情報ストリームのフォームまたはデータ伝送確認状態パッケージのフォームを採用する。
【００６８】
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含む。
【００６９】
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含む。
【００７０】
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含む。
【００７１】
データ伝送確認状態パッケージのフォームを採用するデータパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含む。
【００７２】
ここで、伝送状態が確認されたデータパケットパッケージは、未伝送のデータパケット、伝送失敗のデータパケット及び伝送成功のデータパケットのうちのいずれの１つまたはこれらの任意の１つを含む。
【００７３】
好ましくは、データパケットの伝送情報は、データパケット伝送失敗、データパケット伝送成功及びデータパケット未伝送の情報のうちのいずれの１つまたはこれらの任意の組み合わせを含む。
【００７４】
ステップＳ４２において、各々データパケットの伝送情報により、前記データパケットを処理する方法は、
現在伝送するＰＤＣＰ ＳＤＵデータパケットのうちの伝送成功のデータパケットを廃棄するステップと、
現在伝送するＰＤＣＰ ＳＤＵデータパケットのうちの伝送失敗のデータパケットを再伝送するステップと、
現在伝送するＰＤＣＰ ＳＤＵデータパケットのうちの未伝送のデータパケットを伝送するステップとを備える。
【００７５】
好ましくは、ベアラ分割シナリオでのベアラへサービスを提供するＳｅＮＢの数減少及び/またはＳｅＮＢ再設定及び/またはＳｅＮＢに変更が生じる場合、当該方法は、
対端にＰＤＣＰ プロトコルデータユニットＰＤＵのデータパケット伝送状況示め情報を送信するステップを備える。ここで、データパケット伝送状況示め情報は対端でのデータパケットに対する処理に用いられる。前記データパケット伝送状況示め情報は、現在伝送する前記ベアラの各々ＰＤＣＰ ＳＤＵデータパケットの伝送情報を含む。ここで、データパケットの伝送情報は、データパケット伝送失敗、データパケット伝送成功及びデータパケット未伝送の情報のうちのいずれの１つまたはこれらの任意の組み合わせを含む。
【００７６】
以下、具体的な実施例を参照しながら、本発明に係る実施例のデータパケットの処理方法を説明する。下記の実施例すべては、図１ないし図３の層状ネットワークのネットワークシナリオ及びベアラ分割アーキテクチャを前提とする。
【００７７】
実施例一：
分割されたベアラのＰＤＣＰ ＳＤＵデータパケットの正常伝送中、ＰＤＣＰ ＳＤＵデータパケットに対する処理を行う。
【００７８】
ＵＥの分割されたベアラについて、現在前記分割されたベアラへサービスを提供するアグリゲーションされた基地局は、ＭｅＮＢ及びＳｅＮＢを含む。この際、当該ＵＥの分割されたベアラがＭｅＮＢ及びＳｅＮＢ両者において伝送されると仮説する。
【００７９】
前記ＵＥがダウンリンクベアラ分割のみを背サポートすれば、ＳｅＮＢ内のＰＤＣＰエンティティは、ストリム制御技術で、前記ＵＥの分割されたベアラの一部のＰＤＣＰ ＳＤＵを、ＳｅＮＢにおける前記ＵＥの前記分割されたベアラに対応するＲＬＣエンティティに送信して伝送する。前記分割されたベアラの他のＰＤＣＰ ＳＤＵをＸ２インタフェースを介してＳｅＮＢにおける前記ＵＥの前記分割されたベアラに対応するＲＬＣエンティティに送信して伝送する。
【００８０】
ＳｅＮＢに位置するＰＤＣＰエンティティは、データパケットｄｉｓｃａｒｄ  ｔｉｍｅｒｄｉｓｃａｒｄ  ｔｉｍｅｒ及び/または受信したＳｅＮＢのＲＬＣエンティティからのＰＤＣＰ ＰＤＵのデータパケット伝送状況示め情報により、現在伝送する分割されたベアラの各々ＰＤＣＰ ＳＤＵデータパケットの伝送情報を決定し、さらに、前記分割されたベアラのＰＤＣＰ ＳＤＵデータパケットを処理する。
【００８１】
具体的に、ＰＤＣＰエンティティが分割されたベアラのＰＤＣＰ ＳＤＵを受信する場合、前記ＰＤＣＰ ＳＤＵのためにｄｉｓｃａｒｄ  ｔｉｍｅｒを起動する。前記ｄｉｓｃａｒｄ  ｔｉｍｅｒがプリセットした時間の長さを超える場合、前記ｄｉｓｃａｒｄ  ｔｉｍｅｒに対応する分割されたベアラのＰＤＣＰ ＳＤＵデータパケットを廃棄し、異なるＲＬＣエンティティにより伝送されるＰＤＣＰ ＳＤＵにより、前記ＰＤＣＰ ＳＤＵのために設定したｄｉｓｃａｒｄ  ｔｉｍｅｒのプリセットした時間の長さは相違することができる。また、ＳｅＮＢのＲＬＣエンティティは、ＳｅＮＢに位置するＰＤＣＰエンティティに、ＰＤＣＰ ＰＤＵのデータパケット伝送状況示め情報を周期的またはリアルタイムに送信する。前記データパケット伝送状況示め情報は、現在伝送する前記分割されたベアラの各々ＰＤＣＰ ＳＤＵデータパケットの伝送情報を含む。データパケットの伝送情報は、データパケット伝送失敗またはデータパケット伝送成功の情報であってもよく、データパケット未伝送の情報であってもよい。ＰＤＣＰエンティティは、ＰＤＣＰ ＰＤＵのデータパケット伝送状況示め情報を受信し、現在ＰＤＣＰ ＳＤＵパッケージの伝送状態を確認して、現在伝送中または伝送済みのデータパケットを処理する。具体的に、ＰＤＣＰ ＳＤＵに対応するｄｉｓｃａｒｄ  ｔｉｍｅｒがプリセットした時間の長さをまだ超えていない場合、ＰＤＣＰエンティティは、ＰＤＣＰ ＳＤＵデータパケットのうちの伝送成功のデータパケットを廃棄する。または、ＰＤＣＰエンティティは、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送する。現在伝送するＰＤＣＰ ＳＤＵデータパケットのうちの未伝送のデータパケットを伝送する。再伝送また伝送するＰＤＣＰ ＳＤＵデータパケットがｄｉｓｃａｒｄ  ｔｉｍｅｒを再起動または起動するように命令し、または、ｄｉｓｃａｒｄ  ｔｉｍｅｒを引き続き運行するように命令する。
【００８２】
ＵＥがＵｐｌｉｎｋ−Ｄｏｗｎｌｉｎｋ  ベアラ分割をサポートすれば、ネットワーク側の動作は、実施例一のＵＥがダウンリンクベアラ分割のみをサポートする場合のネットワーク側の動作と同様である。ＵＥ側において、ＵＥ ＰＤＣＰエンティティが分割されたベアラのＰＤＣＰ ＳＤＵを受信する場合、前記ＰＤＣＰ ＳＤＵのためにｄｉｓｃａｒｄ  ｔｉｍｅｒを起動する。前記ｄｉｓｃａｒｄ  ｔｉｍｅｒがプリセットした時間の長さを超える場合、前記ｄｉｓｃａｒｄ  ｔｉｍｅｒに対応する分割されたベアラのＰＤＣＰ ＳＤＵデータパケットを廃棄する。異なるＲＬＣエンティティにより伝送されるＰＤＣＰ ＳＤＵにより、前記ＰＤＣＰ ＳＤＵのために設定したｄｉｓｃａｒｄ  ｔｉｍｅｒのプリセットした時間の長さは相違することができる。ＵＥ ＰＤＣＰエンティティは、データパケットｄｉｓｃａｒｄ  ｔｉｍｅｒｄｉｓｃａｒｄ  ｔｉｍｅｒ及び/または受信したＳｅＮＢのＲＬＣエンティティからのＰＤＣＰ ＰＤＵのデータパケット伝送状況示め情報により、現在伝送する分割されたベアラの各々ＰＤＣＰ ＳＤＵデータパケットの伝送情報を決定し、さらに、前記分割されたベアラのＰＤＣＰ ＳＤＵデータパケットを処理する。前記分割されたベアラへサービスを提供するＳｅＮＢのＵＥ ＲＬＣエンティティは、ＰＤＣＰ ＰＤＵのデータパケット伝送状況示め情報を、ＵＥ ＰＤＣＰエンティティ終了マーカーに周期的またはリアルタイムに通知して、ＵＥ ＰＤＣＰエンティティは、前記ＰＤＣＰ ＰＤＵのデータパケット伝送状況示め情報により、ＰＤＣＰ ＰＤＵデータパケットを処理できるようになる。
【００８３】
実施例二：
分割されたベアラへサービスを提供するＳｅＮＢの数が増加する場合のＰＤＣＰ ＳＤＵデータパケットに対する処理。
【００８４】
分割されたベアラへサービスを提供するＳｅＮＢは、ＳｅＮＢにＳｅＮＢ数増加を示すメッセージを送信し、かつ、ＲＲＣ（Ｒａｄｉｏ Ｒｅｓｏｕｒｃｅ Ｃｏｎｔｒｏｌ，無線リソース制御）再設定メッセージにより、増加されたＳｅＮＢのリソースをＵＥが利用できるようにＵＥのために設定する。ＵＥは当該ＲＲＣ再設定メッセージにより、増加されたＳｅＮＢのベアラリソースを割り当て、かつ増加されたＳｅＮＢ同期化するとともに、ＳｅＮＢにフィードバック再設定終了メッセージをフィードバックする。
【００８５】
分割されたベアラへサービスを提供するＳｅＮＢの数が増加する間、前記分割されたベアラは、ベアラのＰＤＣＰ ＳＤＵデータパケットの正常伝送（具体的な伝送は実施例一参照）を維持し、即ち、分割されたベアラのＭｅＮＢにおける伝送は影響を受けず、ＰＤＣＰ並べ換え（ｒｅｏｒｄｅｒｉｎｇ）及び再廃棄のような動作をトリガーする必要がなく、受信端も向対端にＰＤＣＰ ＰＤＵのデータパケット伝送状況示め情報を報告するひつよ必要がない。
【００８６】
ネットワーク側について、ＭｅＮＢがＵＥからフィードバックされた再設定終了メッセージを受信した後、ＭｅＮＢに位置するＰＤＣＰエンティティは、ストリム制御メカニズムに基づいて未伝送のＰＤＣＰ ＳＤＵデータパケットをＭｅＮＢのＲＬＣエンティティ及びＳｅＮＢのＲＬＣエンティティに送信する。受信端とするＵＥ ＰＤＣＰは、ＭｅＮＢ及びＳｅＮＢのＰＤＣＰ ＳＤＵデータパケットに対して分割されたベアラのＰＤＣＰ並べ換え（ＰＤＣＰ ｒｅｏｒｄｅｒｉｎｇ）を行った後高位層に伝送する。ＵＥ側にとって、ＵＥがＳｅＮＢ増加を完成してネットワーク側に通知した後、ＵＥのＰＤＣＰエンティティは、ストリム制御メカニズムに基づいてＰＤＣＰ ＳＤＵデータパケットのうちの未伝送のデータパケットを、ＳｅＮＢのＵＥ ＲＬＣエンティティ及びＳｅＮＢのＵＥ ＲＬＣエンティティに送信する。受信端とするＭｅＮＢＰＤＣＰは、ＵＥがＭｅＮＢ及びＳｅＮＢにおいて伝送した前記分割されたベアラのＰＤＣＰ ＳＤＵデータパケットに対して、分割されたベアラのＰＤＣＰ ｒｅｏｒｄｅｒｉｎｇを行った後、高位層に送信する。
【００８７】
実施例三：分割されたベアラへサービスを提供するＳｅＮＢの数が減少する場合のＰＤＣＰ ＳＤＵデータパケットへの処理。
【００８８】
分割されたベアラへサービスを提供するＭｅＮＢまたはＳｅＮＢがＳｅＮＢの廃棄をトリガーする。当該ＳｅＮＢ廃棄は、ＭｅＮＢがＲＲＣ再設定メッセージによりＵＥに、対応のＳｅＮＢを廃棄するように通知する。当該ＲＲＣ再設定メッセージは、分割されたベアラ識別子及びベアラ専用リソース等情報を含む。ＭｅＮＢのベアラに対するアドミッション（ａｄｍｉｓｓｉｏｎ）状態により、ＭｅＮＢに認め（ａｄｍｉｓｓｉｏｎ）られた分割されたベアラは、その後、当該ＳｅＮＢにより別途に伝送（即ちベアラ合併）される。ＭｅＮＢは、認めた分割されたベアラについて、以下のように処理する。ＵＥまたはネットワーク側の前記分割されたベアラのＰＤＣＰ ＳＤＵデータパケットに対する伝送を停止し、並べ換えをしようとし、ＭｅＮＢによる、他のベアラのＰＤＣＰ ＳＤＵデータパケットの伝送を維持または停止する。即ち、ネットワーク側は、前記分割されたベアラのＰＤＣＰ ＳＤＵデータパケットに対するダウンリンク伝送を停止する。ネットワーク側が並べ換えとする開始時刻は、ＭｅＮＢがＳｅＮＢ廃棄請求メッセージをトリガーまたは受信した場合、ＵＥが前記分割されたベアラのＰＤＣＰ ＳＤＵデータパケットに対するアップリンク伝送が停止される時刻です。ＵＥが並べ換えをしようとする開始時刻は、ＲＲＣ再設定メッセージまたはフィードバック再設定終了メッセージを受信した後です。
【００８９】
ダウンリンクデータパケット伝送について、ＵＥがフィードバック再設定終了メッセージを受信した後、現在伝送する分割されたベアラのＰＤＣＰ ＰＤＵデータパケット伝送状況示め情報を報告する。ここで、データパケット伝送状況示め情報は、現在伝送する前記ベアラの各々ＰＤＣＰ ＳＤＵデータパケットの伝送情報を含む。データパケットの伝送情報はデータパケット伝送失敗またはデータパケット伝送成功の情報である。また、データパケットの伝送情報は、データパケット未伝送の情報であることもできる。ＭｅＮＢに位置するＰＤＣＰエンティティは、前記データパケット伝送状況示め情報を受信した後、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する、
【００９０】
もともとＭｅＮＢにより伝送される他の分割されていないベアラ伝送は、影響を受けず、正常伝送（具体的な伝送は実施例一参照）を維持してもよく、ＭｅＮＢによる他の未分割されたベアラの伝送を停止してもよい。かつ、対端から報告された他の未分割されたベアラのＰＤＣＰ ＰＤＵデータパケット伝送状況示め情報により、他の未分割されたベアラのＰＤＣＰ ＰＤＵデータパケットを処理する。当該処理は、具体的に、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【００９１】
アップリンクデータパケット伝送について、ネットワーク側がＳｅＮＢの廃棄をトリガーする場合、ＭｅＮＢは、現在伝送する分割されたベアラのＰＤＣＰ ＰＤＵデータパケット伝送状況示め情報を、ＵＥに送信する。ＵＥは、前記ＰＤＣＰ ＰＤＵデータパケット伝送状況示め情報により、ＰＤＣＰ ＰＤＵデータパケットを処理し、具多的に、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【００９２】
実施例四：分割されたベアラへサービスを提供するＳｅＮＢに変更が生じる場合のＰＤＣＰ ＳＤＵデータパケットに対する処理。
【００９３】
分割されたベアラへサービスを提供するＳｅＮＢの変更とは、分割されたベアラへサービスを提供するもとのＳｅＮＢソースをターゲットＳｅＮＢに変更することを言う。ＭｅＮＢまたはもとのＳｅＮＢがＳｅＮＢの変更をトリガーした後、ターゲットＳｅＮＢに、分割されたベアラを認める（ａｄｍｉｔ）ように通知する。ターゲットＳｅＮＢはアドミッションアルゴリズム等により、アドミッションを完成した後、アドミッション可能な分割されたベアラ識別子及び対応の専用/共有リソース設定をＭｅＮＢに通知して、ＭｅＮＢがＲＲＣ再設定メッセージによりＵＥに通知する。ＵＥまたはネットワーク側は、当該認められた、分割されたベアラのＰＤＣＰ ＳＤＵデータパケットの伝送を停止し、即ち、ネットワーク側は、前記分割されたベアラのＰＤＣＰ ＳＤＵデータパケットに対するダウンリンク伝送を停止する。ネットワーク側の並べ換えをしようとする開始時刻は、ＭｅＮＢがＳｅＮＢ廃棄請求メッセージをトリガーまたは受信する時刻である。ＵＥが前記分割されたベアラのＰＤＣＰ ＳＤＵデータパケットに対するアップリンク伝送を停止する。ＵＥが並べ換えをしようとする開始時刻は、ＲＲＣ再設定メッセージまたはフィードバック再設定終了メーセッジを受信した後である。
【００９４】
ダウンリンクデータパケット伝送について、ＵＥは、フィードバック再設定の終了及びターゲットＳｅＮＢとの同期化後に、ターゲットＳｅＮＢに、現在伝送する分割されたベアラのＰＤＣＰ ＰＤＵデータパケット伝送情况の指示情報を報告する。ここで、データパケット伝送状況示め情報は、現在伝送する前記ベアラの各々ＰＤＣＰ ＳＤＵデータパケットの伝送情報を含む。データパケットの伝送情報はデータパケット伝送失敗またはデータパケット伝送成功の情報である。また、データパケットの伝送情報は、データパケット未伝送の情報であることもできる。ターゲットＳｅＮＢは、前記ＰＤＣＰ ＰＤＵデータパケット伝送状況示め情報を受信した後、前記ＰＤＣＰ ＰＤＵデータパケット伝送状況示め情報を、直接または処理後にＭｅＮＢに送信する。ＭｅＮＢに位置するＰＤＣＰエンティティは、前記データパケット伝送状況示め情報を受信した後、現在伝送するＰＤＣＰ ＳＤＵデータパケットのうちの伝送成功のデータパケットを廃棄する。現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。
【００９５】
または、ダウンリンクデータパケット伝送について、ＵＥがフィードバック再設定の終了後、ＭｅＮＢに前伝送的分割されたベアラのＰＤＣＰ ＰＤＵデータパケットの伝送情况を報告する。ＰＤＣＰ ＰＤＵデータパケットに対応するＰＤＣＰ状態ＰＤＵを報告する。ＭｅＮＢに位置するＰＤＣＰエンティティは、前記ＰＤＣＰ状態ＰＤＵを受信した後、ＰＤＣＰ ＰＤＵデータパケット中の各々データパケットの伝送情報を決めて、ＭｅＮＢに位置するＰＤＣＰエンティティ現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。ＭｅＮＢに位置するＰＤＣＰエンティティは、ストリム制御等メカニズムにより、再伝送または伝送が必要となるこれらのＰＤＣＰ ＳＤＵデータパケットがＭｅＮＢのＲＬＣエンティティにより伝送されるか、またはターゲットＳｅＮＢのＲＬＣエンティティにより伝送されるかを判断する。そして、判断の結果を対応のＲＬＣエンティティに送信する。
【００９６】
アップリンクデータパケット伝送について、ネットワーク側がＳｅＮＢの廃棄をトリガーする場合、ＭｅＮＢは、分割されたベアラのＰＤＣＰ状態ＰＤＵをＵＥに送信し、ＵＥは、前記ＰＤＣＰ状態ＰＤＵにより各々ＰＤＣＰ ＳＤＵデータパケットの伝送状態を確認し、伝送成功のＰＤＣＰ ＳＤＵを廃棄し、伝送未成功のＰＤＣＰ ＳＤＵを再設定した後に再伝送または伝送する。
【００９７】
もともとＭｅＮＢにより伝送される他の分割されていないベアラの伝送は、影響を受けず、正常な伝送（具体的な伝送は実施例一参照）を維持してもよく、ＭｅＮＢによる他の未分割されたベアラの伝送を停止してもよい。また、対端により報告された他の未分割されたベアラのＰＤＣＰ ＰＤＵデータパケット伝送状況示め情報により、他の未分割されたベアラのＰＤＣＰ ＰＤＵデータパケットを処理し、具体的には、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【００９８】
アップリンクデータパケット伝送について、ネットワーク側がＳｅＮＢの変更をトリガーする場合、ＭｅＮＢは、現在伝送する分割されたベアラのＰＤＣＰ ＰＤＵデータパケット伝送状況示め情報を、ＵＥに送信する。ＵＥは、前記ＰＤＣＰ ＰＤＵデータパケット伝送状況示め情報により、ＰＤＣＰ ＰＤＵデータパケットを処理し、具体的には、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【００９９】
実施例五：分割されたベアラへサービスを提供するＳｅＮＢが再設定される場合の于ＰＤＣＰ ＳＤＵデータパケットに対する処理。
【０１００】
分割されたベアラへサービスを提供するＳｅＮＢの再設定中、前記分割されたベアラがＳｅＮＢからＭｅＮＢに再設定され、即ち、分割されたベアラが合併される場合、ＳｅＮＢ及びＭｅＮＢによる他のベアラの伝送は影響を受けない。ＵＥまたはネットワーク側は、前記分割されたベアラのＰＤＣＰ ＳＤＵデータパケットに対する伝送を停止する。即ち、ネットワーク側は、前記分割されたベアラのＰＤＣＰ ＳＤＵデータパケットに対するダウンリンク伝送を停止する。ネットワーク側が並べ換えをしようとする開始時刻は、ＭｅＮＢがＳｅＮＢ再設定リクエストメッセージを受信する時刻である。ＵＥは、前記分割されたベアラのＰＤＣＰ ＳＤＵデータパケットに対するアップリンク伝送を停止する。ＵＥが並べ換えをしようとする開始時刻は、ＲＲＣ再設定メッセージを受信した後またはフィードバック再設定が終了後の時刻である。
【０１０１】
ダウンリンクデータパケット伝送について、ＵＥがフィードバック再設定を終了したとともにＳｅＮＢと同期化された後、設定されたＳｅＮＢに現在伝送する分割されたベアラのＰＤＣＰ ＰＤＵデータパケット伝送状況示め情報を報告する。ここで、データパケット伝送状況示め情報は、現在伝送する前記ベアラの各々ＰＤＣＰ ＳＤＵデータパケットの伝送情報を含む。データパケットの伝送情報はデータパケット伝送失敗またはデータパケット伝送成功の情報である。また、データパケットの伝送情報は、データパケット未伝送の情報であることもできる。ターゲットＳｅＮＢは、前記ＰＤＣＰ ＰＤＵデータパケット伝送状況示め情報を受信した後、またはＵＥは、分割されたベアラのＰＤＣＰ ＰＤＵデータパケット伝送状況示め情報をＭｅＮＢに直ちに報告する。ＭｅＮＢに位置するＰＤＣＰエンティティは、前記データパケット伝送状況示め情報を受信した後、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。
【０１０２】
もともとＭｅＮＢにより伝送される他の分割されていないベアラ的伝送は、影響を受けず、正常な伝送（具体的な伝送は実施例一参照）を維持してもよく、ＭｅＮＢによる他の未分割されたベアラの伝送を停止してもよい。また、対端により報告された他の未分割されたベアラのＰＤＣＰ ＰＤＵデータパケット伝送状況示め情報により、他の未分割されたベアラのＰＤＣＰ ＰＤＵデータパケットを処理し、具体的に、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【０１０３】
アップリンクデータパケット伝送について、ネットワーク側がＳｅＮＢの再設定をトリガーする場合、ＭｅＮＢは、現在伝送する分割されたベアラのＰＤＣＰ ＰＤＵデータパケット伝送状況示め情報を、ＵＥに送信する。ＵＥは、前記ＰＤＣＰ ＰＤＵデータパケット伝送状況示め情報により、ＰＤＣＰ ＰＤＵデータパケットを処理し、具体的には、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【０１０４】
実施例六：分割されたベアラへサービスを提供するＳｅＮＢの廃棄/ＳｅＮＢの再設定/の変更の場合のＰＤＣＰ ＳＤＵデータパケットに対する処理。
【０１０５】
ダウンリンクデータパケット伝送について、ＭｅＮＢがもとのＳｅＮＢにＳｅＮＢの廃棄/再設定/変更リクエストメッセージを送信する場合、もとのＳｅＮＢにＰＤＣＰ ＳＤＵデータパケット中の最後の１つのデータパケットを示す終了マーカー情報を送信することにより、もとのＳｅＮＢのＲＬＣエンティティに、もとのＳｅＮＢにより伝送されたＰＤＣＰ ＳＤＵデータパケットに転移された識別子情報を通知し、今後、当該ＭｅＮＢのＰＤＣＰ ＳＤＵデータパケットはもとのＳｅＮＢに伝送されなくなる。もとのＳｅＮＢのＲＬＣエンティティは、確認されたＰＤＣＰ ＳＤＵデータパケット伝送情况及び終了マーカー情報により、ＭｅＮＢに分割されたベアラのＰＤＣＰ ＰＤＵデータパケット伝送状況示め情報を送信する。ここで、データパケット伝送状況示め情報は、現在伝送する前記ベアラの各々ＰＤＣＰ ＳＤＵデータパケットの伝送情報を含む。データパケットの伝送情報はデータパケット伝送失敗またはデータパケット伝送成功の情報である。また、データパケットの伝送情報は、データパケット未伝送の情報であることもできる。ターゲットＳｅＮＢは、前記ＰＤＣＰ ＰＤＵデータパケット伝送状況示め情報を受信した後、前記ＰＤＣＰ ＰＤＵデータパケット伝送状況示め情報をＭｅＮＢに送信する。ＭｅＮＢに位置するＰＤＣＰエンティティは、前記データパケット伝送状況示め情報を受信した後、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。ＳｅＮＢがもとのＳｅＮＢに送信する場合、もとのＳｅＮＢにより送信されたＰＤＣＰ ＳＤＵデータパケット中の最後の１つのデータパケットを示す終了マーカー情報もともに送信する必要がある。
【０１０６】
アップリンクデータパケット伝送について、ＵＥのＰＤＣＰエンティティは、ＵＥ内の対応のＳｅＮＢのＲＬＣエンティティにＰＤＣＰ ＳＤＵデータパケット中の最後の１つのデータパケットを示す終了マーカー情報を送信する。ＵＥ内の対応のＳｅＮＢのＲＬＣエンティティは、確認されたＰＤＣＰ ＳＤＵデータパケット伝送情况及び終了マーカー情報により、ＵＥ内の対応のＭｅＮＢのＰＤＣＰエンティティ送信分割されたベアラのＰＤＣＰ ＰＤＵデータパケット伝送状況示め情報を送信し、前記ＰＤＣＰエンティティＰＤＣＰ ＰＤＵデータパケットを処理する。即ち、ＰＤＣＰ ＳＤＵデータパケットのうちの伝送成功のデータパケットを廃棄し、ＰＤＣＰ ＳＤＵデータパケットのうちの伝送失敗のデータパケットを再伝送し、ＰＤＣＰ ＳＤＵデータパケットのうちの未伝送のデータパケットを伝送する。
【０１０７】
以上のような実施例一ないし実施例六において、ＭｅＮＢに位置するＰＤＣＰエンティティは、対端にＰＤＣＰ ＰＤＵのデータパケット伝送状況示め情報を送信する必要がある。ここで、データパケット伝送状況示め情報は対端でのデータパケットに対する処理に用いられる。前記データパケット伝送状況示め情報は、現在伝送する前記ベアラの各々ＰＤＣＰ ＳＤＵデータパケットまたは一部のデータパケットの伝送情報を含む。データパケットの伝送情報はデータパケット伝送失敗またはデータパケット伝送成功の情報であってもよく、データパケットの伝送情報は、データパケット未伝送の情報であってもよい。前記データパケット伝送状況示め情報が現在伝送する前記ベアラのＰＤＣＰ ＳＤＵデータパケット中の全部または部分データパケットの伝送情報を含む場合、受信端がデータパケット伝送状況示め情報により各々データパケットの伝送情報を判断または推測できることを確保する必要がある。
【０１０８】
上述の実施例一ないし実施例六において、ＰＤＣＰエンティティが受信したデータパケット伝送状況示め情報は、情報ストリームのフォームまたはデータ伝送確認状態パッケージのフォームを採用することができる。
【０１０９】
情報ストリームのフォームを採用するデータパケット伝送状況示め情報は、現在伝送する前記ベアラのＰＤＣＰ ＳＤＵデータパケットのうちの、伝送失敗または未伝送のデータパケットから最後１つの伝送のデータパケットまでの全部のデータパケットの番号及び伝送情報と、今回のデータパケットの伝送中の最後１つのデータパケットを標識するための終了マーカー情報とを含む。
【０１１０】
または、情報ストリームのフォームを採用するデータパケット伝送状況示め情報は、現在伝送する前記ベアラのＰＤＣＰ ＳＤＵデータパケットのうちの伝送失敗または未伝送の第１個のデータパケットから最後１つの伝送のデータパケットかつ伝送状態が確認されたデータパケットまでの全部のデータパケットの番号及び伝送情報、及び今回のデータパケットの伝送中の最後１つのデータパケットを標識するための終了マーカー情報を含む。
【０１１１】
または、情報ストリームのフォームを採用するデータパケット伝送状況示め情報は、ＰＤＣＰ ＳＤＵデータパケットうちの全伝送状態が確認された全部のデータパケットの番号及び伝送情報、及び今回のデータパケットの伝送中の最後１つのデータパケットを標識するための終了マーカー情報を含む。 
【０１１２】
データ伝送確認状態パッケージのフォームを採用するデータパケット伝送状況示め情報は、現在伝送する前記ベアラのＰＤＣＰ ＳＤＵデータパケットのうちの伝送失敗または未伝送の第１個のデータパケットから最後１つの伝送のデータパケットまでの全部のデータパケットの番号及び伝送情報を含む。
【０１１３】
または、データ伝送確認状態パッケージのフォームを採用するデータパケット伝送状況示め情報は、現在伝送する前記ベアラのＰＤＣＰ ＳＤＵデータパケットのうちの伝送失敗または未伝送の第１個のデータパケットから最後１つの伝送されかつ伝送状態が確認されたデータパケットまでの全部のデータパケットの番号及び伝送情報を含む。
【０１１４】
ここで、伝送状態が確認されたデータパケットは、伝送成功のデータパケットまたは伝送失敗のデータパケットであってもよい。また、伝送状態が確認されたデータパケットは、未伝送のデータパケットであってもよい。
【０１１５】
本発明に係る実施例により提供されるデータ伝送確認状態パッケージの構造図は、図5に示すように、制御情報/データ情報Ｄ／Ｃは、前記分割されたベアラについて制御情報であるかまたはデータ情報であるかを識別するためのものである。データ伝送確認状態のパッケージにとって、当該位置はＣに示し、サービスデータユニットタイプ（ＳＤＵ ＴＹＰＥ）を０１０にして、当該ＳＤＵがデータ伝送確認状態のＳＤＵを示す。第１個の紛失となったＰＤＣＰデータパケット番号（ＦＭＳ，fｉｒｓｔ ｍｉｓｓｉｎｇ ＰＤＣＰ ＳＮ）は、分割されたベアラのＰＤＣＰ ＳＤＵデータパケットの伝送失敗または未伝送の第１個のデータパケットの番号である。ＲＬＣエンティティに伝送失敗のＰＤＣＰ ＳＤＵ/ＰＤＣＰ ＰＤＵが少なくとも１つが内蔵される場合、Ｂｉｔｍａｐフィールドが追加されることにより、伝送失敗または未伝送の第１個のデータパケットの番号から最後１つの伝送失敗または未伝送のデータパケットの番号までの全部のデータパケットの番号数を示す。Ｂｉｔｍａｐフィールドビットが8の整数倍ではなければ、8の倍数になるように修正して、Ｂｉｔｍａｐフィールド中の伝送失敗の全部のデータパケットのＰＤＣＰ ＳＤＵ/ＰＤＣＰ ＰＤＵに対応するビットを「０」に設定し、Ｂｉｔｍａｐフィールド中の伝送成功の全部のデータパケットのＰＤＣＰ ＳＤＵ/ＰＤＣＰ ＰＤＵに対応するビットを「１」に設定する。ビット
【０１１６】
ＰＤＣＰデータパケットの受信端エンティティから送信端（即ち対端）エンティティに送信する伝送データパケット伝送状況示め情報は、ＰＤＣＰ状態ＰＤＵのフォームを採用することもできる。
【０１１７】
上述の方法に対応し、図６に示すように、本発明に係る実施例は、データパケットの処理装置を提供し、当該装置は、以下のユニットを備える。
【０１１８】
伝送情報決定ユニット６１は、現在伝送するベアラ分割シナリオ中のベアラの各々パケットデータ集中プロトコル（ＰＤＣＰ）サービスデータユニット（ＳＤＵ）データパケットの伝送情報を決定する。
【０１１９】
データパケット処理ユニット６２は、各々データパケットの伝送情報により、前記データパケットを処理する。
【０１２０】
好ましくは、伝送情報決定ユニット６１は、無線回線制御（ＲＬＣ）エンティティからＰＤＣＰ プロトコルデータユニットＰＤＵのデータパケット伝送状況示め情報を受信し、データパケット伝送状況示め情報により、現在伝送する前記ベアラの各々ＰＤＣＰ ＳＤＵデータパケットの伝送情報を決定する。
【０１２１】
ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【０１２２】
好ましくは、伝送情報決定ユニット６１は、現在ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持する。
【０１２３】
好ましくは、ベアラ分割シナリオでのベアラへサービスを提供するＳｅＮＢの数減少及び/またはＳｅＮＢ再設定及び/またはＳｅＮＢに変更が生じる場合、伝送情報決定ユニット６１は、前記分割されたベアラのＰＤＣＰ ＳＤＵデータパケットの伝送を停止し、他のベアラのＰＤＣＰ ＳＤＵデータパケットの伝送を維持または停止する。
【０１２４】
好ましくは、ベアラ分割シナリオでのベアラへサービスを提供するＳｅＮＢ変更が生じる場合、伝送情報決定ユニット６１は、前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信する。
【０１２５】
好ましくは、ベアラ分割シナリオでのベアラへサービスを提供するＳｅＮＢの数減少及び/またはＳｅＮＢ再設定及び/またはＳｅＮＢに変更が生じる場合、伝送情報決定ユニット６１は、前記ベアラへサービスを提供するＳｅＮＢからＰＤＣＰ プロトコルデータユニットＰＤＵのデータパケット伝送状況示め情報を受信する。ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【０１２６】
データパケット伝送状況示め情報により、現在伝送する前記ベアラの各々ＰＤＣＰ ＳＤＵデータパケットの伝送情報を決定する。
【０１２７】
好ましくは、伝送情報決定ユニット６１は、前記ベアラへサービスを提供するＳｅＮＢからＰＤＣＰ ＰＤＵのデータパケット伝送状況示め情報を受信した後、前記ベアラへサービスを提供するＳｅＮＢに、ＰＤＣＰ ＳＤＵデータパケット中の最後の１つのデータパケットを示す終了マーカー情報を送信する。
【０１２８】
好ましくは、伝送情報決定ユニット６１は、データパケットｄｉｓｃａｒｄ  ｔｉｍｅｒｄｉｓｃａｒｄ  ｔｉｍｅｒ及び/または受信したデータパケット伝送状況示め情報により、現在伝送するベアラ分割シナリオ中のベアラの各々ＰＤＣＰ ＳＤＵデータパケットの伝送情報を決定する。
【０１２９】
好ましくは、データパケット伝送状況示め情報は、情報ストリームのフォームまたはデータ伝送確認状態パッケージのフォームを採用する。
【０１３０】
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含む。
【０１３１】
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含む。
【０１３２】
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含む。 
【０１３３】
データ伝送確認状態パッケージのフォームを採用するデータパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含む。
【０１３４】
ここで、伝送状態が確認されたデータパケットパッケージは、未伝送のデータパケット、伝送失敗のデータパケット及び伝送成功のデータパケットのうちのいずれの１つまたはこれらの任意の１つを含む。
【０１３５】
好ましくは、データパケットの伝送情報は、データパケット伝送失敗、データパケット伝送成功及びデータパケット未伝送の情報のうちのいずれの１つまたはこれらの任意の組み合わせを含む。
【０１３６】
データパケット処理ユニット６２は、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。
【０１３７】
好ましくは、ベアラ分割シナリオでのベアラへサービスを提供するＳｅＮＢの数減少及び/またはＳｅＮＢ再設定及び/またはＳｅＮＢに変更が生じる場合、当該装置は伝送情報送信ユニット６３をさらに備える。
【０１３８】
伝送情報送信ユニット６３は、対端にＰＤＣＰ プロトコルデータユニットＰＤＵのデータパケット伝送状況示め情報を送信する。ここで、データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【０１３９】
具体的に、伝送情報決定ユニット６１は、プロセッサ及び受発信機能を有する伝送モジュールにより実施されることができる。データパケット処理ユニット６２は、プロセッサ等のエンティティにより実現されることができる。伝送情報送信ユニット６３は、受発信機能を有するにより実施されることができ、たとえば、伝送モジュールは、専用チップ及びアンテナなどであることができ、本発明はこれらユニットのエンティティに限られない。
【０１４０】
図７に示すように、本発明に係る実施例の他のデータパケットの処理装置はプロセッサ７０１と、受信機７０２と、メモリ７０４とを備える。
【０１４１】
前記プロセッサ７０１は、メモリ７０４に内蔵されたプログラムを読み出して、以下の動作を実行する。
【０１４２】
現在伝送するベアラ分割シナリオ中のベアラの各々パケットデータ集中プロトコル（ＰＤＣＰ）サービスデータユニット（ＳＤＵ）データパケットの伝送情報を決定し、各々データパケットの伝送情報により、前記データパケットを処理する。
【０１４３】
前記受信機７０２は、プロセッサ７０１の制御によりデータを送受信する。
【０１４４】
好ましくは、プロセッサ７０１は、無線回線制御（ＲＬＣ）エンティティからＰＤＣＰ プロトコルデータユニットＰＤＵのデータパケット伝送状況示め情報を受信する。ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。データパケット伝送状況示め情報により、現在伝送する前記ベアラの各々ＰＤＣＰ ＳＤＵデータパケットの伝送情報を決定する。
【０１４５】
好ましくは、現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持する。
【０１４６】
好ましくは、ベアラ分割シナリオでのベアラへサービスを提供するＳｅＮＢの数減少及び/またはＳｅＮＢ再設定及び/またはＳｅＮＢに変更が生じる場合、プロセッサ７０１は、前記分割されたベアラのＰＤＣＰ ＳＤＵデータパケットの伝送を停止し、他のベアラのＰＤＣＰ ＳＤＵデータパケットの伝送を維持または停止する。
【０１４７】
好ましくは、ベアラ分割シナリオでのベアラへサービスを提供するＳｅＮＢ変更が生じる場合、プロセッサ７０１は、前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信する。
【０１４８】
好ましくは、ベアラ分割シナリオでのベアラへサービスを提供するＳｅＮＢの数減少及び/またはＳｅＮＢ再設定及び/またはＳｅＮＢに変更が生じる場合、プロセッサ７０１は、前記ベアラへサービスを提供するＳｅＮＢからＰＤＣＰ プロトコルデータユニットＰＤＵのデータパケット伝送状況示め情報を受信する。また、データパケット伝送状況示め情報により、現在伝送する前記ベアラの各々ＰＤＣＰ ＳＤＵデータパケットの伝送情報を決定する。
【０１４９】
ここで、データパケット伝送状況示め情報は、現在伝送する前記ベアラの各々ＰＤＣＰ ＳＤＵデータパケットの伝送情報を含む。データパケットの伝送情報は、データパケット伝送失敗、データパケット伝送成功及びデータパケット未伝送の情報のうちのいずれの１つまたはこれらの任意の組み合わせを含む。
【０１５０】
好ましくは、プロセッサ７０１は、前記ベアラへサービスを提供するＳｅＮＢからＰＤＣＰ ＰＤＵのデータパケット伝送状況示め情報を受信した後、前記ベアラへサービスを提供するＳｅＮＢに、ＰＤＣＰ ＳＤＵデータパケット中の最後の１つのデータパケットを示す終了マーカー情報を送信する。
【０１５１】
好ましくは、プロセッサ７０１は、データパケットｄｉｓｃａｒｄ  ｔｉｍｅｒｄｉｓｃａｒｄ  ｔｉｍｅｒ及び/または受信したデータパケット伝送状況示め情報により、現在伝送するベアラ分割シナリオ中のベアラの各々ＰＤＣＰ ＳＤＵデータパケットの伝送情報を決定する。
【０１５２】
好ましくは、データパケット伝送状況示め情報は、情報ストリームのフォームまたはデータ伝送確認状態パッケージのフォームを採用する。
【０１５３】
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含む。
【０１５４】
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含む。
【０１５５】
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含む。 
【０１５６】
データ伝送確認状態パッケージのフォームを採用するデータパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含む。
【０１５７】
ここで、伝送状態が確認されたデータパケットパッケージは、未伝送のデータパケット、伝送失敗のデータパケット及び伝送成功のデータパケットのうちのいずれの１つまたはこれらの任意の１つを含む。
【０１５８】
好ましくは、データパケットの伝送情報は、データパケット伝送失敗、データパケット伝送成功及びデータパケット未伝送の情報のうちのいずれの１つまたはこれらの任意の組み合わせを含む。
【０１５９】
プロセッサ７０１は、現在伝送するＰＤＣＰ ＳＤＵデータパケットのうちの伝送成功のデータパケットを廃棄し、現在伝送するＰＤＣＰ ＳＤＵデータパケットのうちの伝送失敗のデータパケットを再伝送し、現在伝送するＰＤＣＰ ＳＤＵデータパケットのうちの未伝送のデータパケットを伝送する。
【０１６０】
好ましくは、ベアラ分割シナリオでのベアラへサービスを提供するＳｅＮＢの数減少及び/またはＳｅＮＢ再設定及び/またはＳｅＮＢに変更が生じる場合、当該装置は、プロセッサ７０１をさらに備える。
【０１６１】
前記プロセッサ７０１は、対端にＰＤＣＰ プロトコルデータユニットＰＤＵのデータパケット伝送状況示め情報を送信する。ここで、データパケット伝送状況示め情報は対端でのデータパケットに対する処理に用いられる。前記データパケット伝送状況示め情報は、現在伝送する前記ベアラの各々ＰＤＣＰ ＳＤＵデータパケットの伝送情報を含む。データパケットの伝送情報は、データパケット伝送失敗、及びデータパケット未伝送の情報のうちのいずれの１つまたはこれらの任意の組み合わせを含む。
【０１６２】
図７において、バスアーキテクチャ７００は、いずれ数の相互接続するバス及びブリッジを備える。具体的に、バスアーキテクチャ７００は、プロセッサ７０１が代表となる１つまたは複数のプロセッサ及びメモリ７０４が代表となるメモリの多様な回路を接続する。また、バスアーキテクチャ７００は、外部設備、電圧レギュレーター及び電力管理回路等の他の回路を接続することもできる。これらは、当該分野の周知技術であるため、本発明において、詳細に説明しない。バスインターフェース７０３はバスアーキテクチャ７００及び送受信機７０２の間でインターフェースを提供する。送受信機７０２は、複数の部品であることができ、即ち、送信機及び受信機を備え、伝送媒体を介して他の装置と通信するユニットを提供する。プロセッサ７０１により処理されたデータは、アンテナ７０5により無線媒体において伝送され、さらに、アンテナ７０5は、データを受信して、たのプロセッサ７０１に送信する。
【０１６３】
プロセッサ７０１は、バズアーキテクチャ７００及び通常の処理を管理し、他のさまざまな機能を提供することができ、たとえば、周辺インタフェース及び電圧の調節、電源管理及び他の制御功能。メモリ７０４は、プロセッサ７０１が動作する際に利用するデータを記憶することができる。
【０１６４】
このましくは、プロセッサ７０１は、ＣＰＵ、ＡＳＩＣ、ＦＰＧＡまたはＣＰＬＤであることができる。
【０１６５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１６６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１６７】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１７０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１７１】
本出願は、２０１４年３月２１日に中国特許局に提出し、出願番号が２０１４１０１０８６４１．９であり、発明名称が「データパケットの処理方法及び装置」との中国特許出願を基礎とする優先権を主張し、その開示の総てをここに採用し込む。
【符号の説明】
【０１７２】
６１  伝送情報決定ユニット
６２  データパケット処理ユニット
６３  伝送情報送信ユニット
７０１  プロセッサ
７０２  受信機
７０４  メモリ
７０５  アンテナ
【図１】
2017513371.tif 000003
【図２】
2017513371.tif 000004
【図３】
2017513371.tif 000005
【図４】
2017513371.tif 000006
【図５】
2017513371.tif 000007
【図６】
2017513371.tif 000008
【図７】
2017513371.tif 000009
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
現在伝送するベアラ分割シナリオ中のベアラの各々パケットデータ集中プロトコル（ＰＤＣＰ） サービスデータユニット（ＳＤＵ）データパケットの伝送情報を決定するステップと、
前記各々データパケットの伝送情報により前記データパケットを処理するステップとを備えることを特徴とするデータパケットの処理方法。
【請求項２】
現在伝送するベアラ分割シナリオ中のベアラの各々パケットデータ集中プロトコル（ＰＤＣＰ） サービスデータユニット（ＳＤＵ）データパケットの伝送情報を決定するステップは、
無線回線制御（ＲＬＣ）エンティティからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備えることを特徴とする請求項１に記載のデータパケットの処理方法。
【請求項３】
現在、ＭｅＮＢにおいて伝送される、ベアラへサービスを提供するＳｅＮＢの数が増加とすれば、前記ベアラ分割シナリオで前記ベアラのＰＤＣＰ ＳＤＵデータパケットの伝送を維持することを特徴とする請求項１に記載のデータパケットの処理方法。
【請求項４】
ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオでの前記ベアラの各々パケットデータ集中プロトコル（ＰＤＣＰ） サービスデータユニット（ＳＤＵ）データパケットの伝送情報を決定する前、
前記分割されたベアラのＰＤＣＰ ＳＤＵデータパケットの伝送を停止し、
他のベアラのＰＤＣＰ ＳＤＵデータパケットの伝送を維持または停止することを特徴とする請求項２に記載のデータパケットの処理方法。
【請求項５】
ベアラ分割シナリオでのベアラへサービスを提供するＳｅＮＢ変更が生じる場合、ＵＥのＲＬＣエンティティからＰＤＣＰ ＰＤＵのデータパケット伝送状況示め情報を受信するステップは、
前記ベアラへサービスを提供する、変更後のターゲットＳｅＮＢにより転送されたＵＥのＰＤＣＰエンティティからのＰＤＣＰ ＰＤＵデータパケットの伝送状況示め情報を受信するステップを備えることを特徴とする請求項４に記載のデータパケットの処理方法。
【請求項６】
ベアラ分割シナリオでのベアラへサービスを提供するＳｅＮＢの数減少及び/またはＳｅＮＢ再設定及び/またはＳｅＮＢに変更が生じる場合、現在伝送するベアラ分割シナリオ中のベアラの各々ＰＤＣＰ ＳＤＵデータパケットの伝送情報を決定するステップは、
前記ベアラへサービスを提供するＳｅＮＢからＰＤＣＰ プロトコルデータユニットＰＤＵのデータパケット伝送状況示め情報を受信するステップであって、データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含む前記受信ステップと、
データパケット伝送状況示め情報により、現在伝送する前記ベアラの各々ＰＤＣＰ ＳＤＵデータパケットの伝送情報を決定するステップとを備えることを特徴とする請求項１に記載のデータパケットの処理方法。
【請求項７】
前記ベアラへサービスを提供するＳｅＮＢからＰＤＣＰ ＰＤＵのデータパケット伝送状況示め情報を受信した後、前記方法は、
前記ベアラへサービスを提供するＳｅＮＢに、ＰＤＣＰ ＳＤＵデータパケット中の最後の１つのデータパケットを示す終了マーカー情報を送信するステップを備えることを特徴とする請求項６に記載のデータパケットの処理方法。
【請求項８】
現在伝送するベアラ分割シナリオ中のベアラの各々ＰＤＣＰ ＳＤＵデータパケットの伝送情報を決定するステップは、
データパケットｄｉｓｃａｒｄ  ｔｉｍｅｒｄｉｓｃａｒｄ  ｔｉｍｅｒ及び/または受信した前記データパケット伝送状況示め情報により、現在伝送するベアラ分割シナリオ中のベアラの各々ＰＤＣＰ ＳＤＵデータパケットの伝送情報を決定することを特徴とする請求項２または請求項６に記載のデータパケットの処理方法。
【請求項９】
前記データパケット伝送状況示め情報は、情報ストリームのフォームまたはデータ伝送確認状態パッケージのフォームを採用し、
情報ストリームのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、伝送する前記ベアラのＰＤＣＰ ＳＤＵデータパケットのうち、伝送失敗または未伝送の第１個のデータパケットから最後に伝送されかつ伝送状態が確認されたデータパケットまでの全部のデータパケットの番号及び伝送情報と、今回のデータパケットの伝送中の最後１つのデータパケットを標識するための終了マーカー情報とを含むか、
または、情報ストリームのフォームを採用する前記データパケット伝送状況示め情報は、前記ＰＤＣＰ ＳＤＵデータパケット中所有伝送状態が確認されたデータパケットの番号及び伝送情報と、今回のデータパケットの伝送中の最後１つのデータパケットを標識するための終了マーカー情報とを含み、 
データ伝送確認状態パッケージのフォームを採用する前記データパケット伝送状況示め情報は、現在伝送する前記ベアラのＰＤＣＰ ＳＤＵデータパケットのうち、伝送失敗または未伝送の第１個のデータパケットから最後に伝送されたデータパケットまでの全部のデータパケットの番号及び伝送情報を含むか、または現在伝送する前記ベアラのＰＤＣＰ ＳＤＵデータパケットのうちの、伝送失敗または未伝送の第１個のデータパケットから最後１つの伝送されかつ伝送状態が確認されたデータパケットまでの全部のデータパケットの番号及び伝送情報を含み、
ここで、伝送状態が確認されたデータパケットパッケージは、未伝送のデータパケット、伝送失敗のデータパケット及び伝送成功のデータパケットのうちのいずれの１つまたはこれらの任意の１つを含むことを特徴とする請求項２に記載のデータパケットの処理方法。
【請求項１０】
データパケットの伝送情報は、データパケット伝送失敗、データパケット伝送成功及びデータパケット未伝送の情報のうちのいずれの１つまたはこれらの任意の組み合わせを含み、
前記各々データパケットの伝送情報により前記データパケットを処理するステップは、
現在伝送するＰＤＣＰ ＳＤＵデータパケットのうちの伝送成功のデータパケットを廃棄するステップと、
現在伝送するＰＤＣＰ ＳＤＵデータパケットのうちの伝送失敗のデータパケットを再伝送するステップと、
現在伝送するＰＤＣＰ ＳＤＵデータパケットのうちの未伝送のデータパケットを伝送するステップとを備えることを特徴とする請求項１に記載のデータパケットの処理方法。
【請求項１１】
ベアラ分割シナリオでのベアラへサービスを提供するＳｅＮＢの数減少及び/またはＳｅＮＢ再設定及び/またはＳｅＮＢに変更が生じる場合、
前記方法は、対端にＰＤＣＰ プロトコルデータユニットＰＤＵのデータパケット伝送状況示め情報を送信するステップをさらに備え、
前記データパケット伝送状況示め情報は対端でのデータパケットに対する処理に用いられ、前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１に記載のデータパケットの処理方法。
【請求項１２】
現在伝送するベアラ分割シナリオ中のベアラの各々パケットデータ集中プロトコル（ＰＤＣＰ） サービスデータユニット（ＳＤＵ）データパケットの伝送情報を決定する伝送情報決定ユニットと、
前記各々データパケットの伝送情報により前記データパケットを処理するデータパケット処理ユニットとを備えることを特徴とするデータパケットの処理装置。
【請求項１３】
前記伝送情報決定ユニットは、
無線回線制御（ＲＬＣ）エンティティからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１２に記載のデータパケットの処理装置。
【請求項１４】
ベアラ分割シナリオでのベアラへサービスを提供するＳｅＮＢの数減少及び/またはＳｅＮＢ再設定及び/またはＳｅＮＢに変更が生じる場合、前記伝送情報決定ユニットは、
前記ベアラへサービスを提供するＳｅＮＢからＰＤＣＰ プロトコルデータユニットＰＤＵのデータパケット伝送状況示め情報を受信し、
データパケット伝送状況示め情報により、現在伝送する前記ベアラの各々ＰＤＣＰ ＳＤＵデータパケットの伝送情報を決定し、
前記データパケット伝送状況示め情報は、現在伝送する前記ベアラの各々ＰＤＣＰ ＳＤＵデータパケットの伝送情報を含み、データパケットの伝送情報は、データパケット伝送失敗、データパケット伝送成功及びデータパケット未伝送の情報のうちのいずれの１つまたはこれらの任意の組み合わせを含むことを特徴とする請求項１２に記載のデータパケットの処理装置。
【請求項１５】
前記伝送情報決定ユニットは、前記ベアラへサービスを提供するＳｅＮＢからＰＤＣＰ ＰＤＵのデータパケット伝送状況示め情報を受信した後、
前記ベアラへサービスを提供するＳｅＮＢに、ＰＤＣＰ ＳＤＵデータパケット中の最後の１つのデータパケットを示す終了マーカー情報を送信することを特徴とする請求項１４に記載のデータパケットの処理装置。
【国際調査報告】
2017513371.tif 000010
2017513371.tif 000011
2017513371.tif 000012
2017513371.tif 000013